(57)【要約】【課題】  被固定物の任意の位置への固定や、レーザー墨出し器の支持が、簡単に確実に且つ安定的に行え、レーザー墨出し器の支持位置を所定の印等に合せる作業が、熟練を要することなく誰でも簡単に短時間で行え、所望位置に設置されたレーザー墨出し器をその状態のまま確実に維持でき、構成簡素で、量産に適し、低廉で、経済的で、取扱い易く、使い勝手の優れたレーザー墨出し器用支持装置を提供する。【解決手段】  クランプ部Ａと支持部Ｂとを備え、支持部Ｂは、基台１０と、ガイド筒１１と、昇降マスト１２と、受台１３と、昇降用ハンドル１４と、ロックネジ１５と、取付ネジ１６とを有し、取付ネジ１６を介してレーザー墨出し器を受台１３に装着可能で、昇降用ハンドル１４の回転操作でレーザー墨出し器を自在に昇降できるよう形成し、ロックネジ１５の回転操作でレーザー墨出し器の昇降を停止できるよう構成する。【選択図】図１
0003101610.tif 000002
【実用新案登録請求の範囲】
【請求項１】
適宜建築工事現場等で使用されるレーザー墨出し器を支持すると共に、支持したレーザー墨出し器の支持位置を調節できるように構成されたレーザー墨出し器用支持装置であって、適宜被固定物に取外し可能に固定できるよう構成したクランプ部と、このクランプ部に固定される支持部とを備え、前記支持部は、クランプ部に固定される基台と、この基台の下方に配されるガイド筒と、このガイド筒内を摺動可能な昇降マストと、この昇降マストの上端部分に固定される受台と、基台に正逆回転自在に装着されると共に、その回転によって昇降マストを昇降させる昇降用ハンドルと、基台に螺着されると共に、その回転によって昇降マストを停止可能なロックネジと、受台に設けた取付ネジとを有し、取付ネジを介してレーザー墨出し器を受台に装着可能となるよう形成して、昇降用ハンドルの回転操作でレーザー墨出し器を自在に昇降できるよう形成し、ロックネジの回転操作でレーザー墨出し器の昇降を停止できるように構成したことを特徴とするレーザー墨出し器用支持装置。
【請求項２】
適宜建築工事現場等で使用されるレーザー墨出し器を支持すると共に、支持したレーザー墨出し器の上下方向での支持位置を調節できるように構成されたレーザー墨出し器用支持装置であって、柱や間柱等の被固定物に取外し可能に固定できるよう構成したクランプ部と、このクランプ部の正面がわに取付ベースを介して固定される支持部とを備え、前記クランプ部は、背面がわが開放されている略平面溝形状のクランプ用フレームと、このフレームの左右側片の一方に螺着されるネジ棒と、このネジ棒の基端に固着される固定用ハンドルと、ネジ棒の先端部分に回転自在に装着される当接板とからなり、前記支持部は、取付ベースに固定される基台と、この基台の下方に配されるガイド筒と、このガイド筒内を摺動可能な昇降マストと、この昇降マストの上端部分に固定される受台と、基台に正逆回転自在に装着されると共に、その回転によって昇降マストを昇降させる昇降用ハンドルと、基台に螺着されると共に、その回転によって昇降マストを停止可能なロックネジと、受台に設けた取付ネジとを有し、取付ネジを介してレーザー墨出し器を受台に装着可能となるよう形成して、昇降用ハンドルの回転操作でレーザー墨出し器を自在に昇降できるよう形成し、ロックネジの回転操作でレーザー墨出し器の昇降を停止できるように構成したことを特徴とするレーザー墨出し器用支持装置。
【考案の詳細な説明】
【技術分野】
【０００１】
本考案は、主に、適宜建築工事現場に於いて、内装作業をする時に基本となる水平を出したり（地墨）、或いは、天井を組む時に水平を出したり（天井墨）するのに使用するレーザー墨出し器を、簡単に、確実に、且つ安定的に支持できるようにすると共に、支持したレーザー墨出し器の上下方向での支持位置を簡単に調節できるように工夫した使い勝手の優れたレーザー墨出し器用支持装置に関するものである。
【背景技術】
【０００２】
従来のレーザー墨出し器にあっては、これを作業現場でセットする際に、例えば、特許文献１に示すように三脚に装着することにより、これを安定的に支持するような手段が多く採用されている。
【０００３】
【特許文献１】実用新案登録第３０７４１４２号公報
【考案の開示】
【考案が解決しようとする課題】
【０００４】
しかしながら、従来の三脚を利用した手段にあっては、レーザー墨出し器をある程度の高さまで支持することができるが、天井を組む時に水平を出す（天井墨）作業には不向きであった。
【０００５】
また、高い位置にあるレーザー墨出し器を所定の印に合わせるようにセットするのに時間がかかると共に熟練を要する等の難点もあった。
【０００６】
そこで、本願出願人は、内装作業時に於いて基本となる水平を出したり（地墨）、或いは、天井を組むために水平を出したり（天井墨）する場合でも、レーザー墨出し器を、簡単に、確実に、且つ安定的に支持できるようにすると共に、レーザー墨出し器の支持位置を、熟練を要することなく誰でも簡単に短時間で調節できるようにした使い勝手の優れたレーザー墨出し器用支持装置を提供すべく案出した。
【課題を解決するための手段】
【０００７】
しかして、前述の如き課題を達成すると共に、構成が簡素で、量産に適し、低廉で、経済的で、取扱い易いレーザー墨出し器用支持装置を提供できるようにすべく、請求項１記載のレーザー墨出し器用支持装置にあっては、適宜建築工事現場等で使用されるレーザー墨出し器を支持すると共に、支持したレーザー墨出し器の支持位置を調節できるように構成されたレーザー墨出し器用支持装置であって、適宜被固定物に取外し可能に固定できるよう構成したクランプ部Ａと、このクランプ部Ａに固定される支持部Ｂとを備え、前記支持部Ｂは、クランプ部Ａに固定される基台１０と、この基台１０の下方に配されるガイド筒１１と、このガイド筒１１内を摺動可能な昇降マスト１２と、この昇降マスト１２の上端部分に固定される受台１３と、基台１０に正逆回転自在に装着されると共に、その回転によって昇降マスト１２を昇降させる昇降用ハンドル１４と、基台１０に螺着されると共に、その回転によって昇降マスト１２を停止可能なロックネジ１５と、受台１３に設けた取付ネジ１６とを有し、取付ネジ１６を介してレーザー墨出し器を受台１３に装着可能となるよう形成して、昇降用ハンドル１４の回転操作でレーザー墨出し器を自在に昇降できるよう形成し、ロックネジ１５の回転操作でレーザー墨出し器の昇降を停止できるように構成する手段を採用した。
【０００８】
また、請求項２記載のレーザー墨出し器用支持装置にあっては、適宜建築工事現場等で使用されるレーザー墨出し器を支持すると共に、支持したレーザー墨出し器の上下方向での支持位置を調節できるように構成されたレーザー墨出し器用支持装置であって、柱や間柱等の被固定物に取外し可能に固定できるよう構成したクランプ部Ａと、このクランプ部Ａの正面がわに取付ベース５を介して固定される支持部Ｂとを備え、前記クランプ部Ａは、背面がわが開放されている略平面溝形状のクランプ用フレーム１と、このフレーム１の左右側片の一方に螺着されるネジ棒２と、このネジ棒２の基端に固着される固定用ハンドル３と、ネジ棒２の先端部分に回転自在に装着される当接板４とからなり、前記支持部Ｂは、取付ベース５に固定される基台１０と、この基台１０の下方に配されるガイド筒１１と、このガイド筒１１内を摺動可能な昇降マスト１２と、この昇降マスト１２の上端部分に固定される受台１３と、基台１０に正逆回転自在に装着されると共に、その回転によって昇降マスト１２を昇降させる昇降用ハンドル１４と、基台１０に螺着されると共に、その回転によって昇降マスト１２を停止可能なロックネジ１５と、受台１３に設けた取付ネジ１６とを有し、取付ネジ１６を介してレーザー墨出し器を受台１３に装着可能となるよう形成して、昇降用ハンドル１４の回転操作でレーザー墨出し器を自在に昇降できるよう形成し、ロックネジ１５の回転操作でレーザー墨出し器の昇降を停止できるように構成する手段を採用した。
【考案の効果】
【０００９】
従って、本考案の請求項１記載のレーザー墨出し器用支持装置によれば、クランプ部Ａを、簡単に、確実に、且つ安定的に被固定物の任意の位置に固定できると共に、レーザー墨出し器を、支持部Ｂの受台１３の取付ネジ１６に簡単に、確実に、且つ安定的に装着して支持できるようになる。すなわち、内装作業時に於いて基本となる水平を出したり（地墨）、或いは、天井を組むために水平を出したり（天井墨）する場合でも、レーザー墨出し器を、簡単に、確実に、且つ安定的に支持できるようになる。しかも、構成が簡素で、量産に適し、低廉で、経済的で、取扱い易く、使い勝手の優れたレーザー墨出し器用支持装置となる。
【００１０】
特に、昇降用ハンドル１４の回転操作によって、レーザー墨出し器を自在に昇降できるので、レーザー墨出し器の支持位置を、所定の印等に合せる作業が、熟練を要することなく誰でも簡単に短時間で調節できるようになる。
【００１１】
更に、ロックネジ１５の回転操作でレーザー墨出し器の昇降を停止できるように構成したので、所望位置に設置されたレーザー墨出し器をその状態のまま確実に維持できるようになる。
【００１２】
また、本考案の請求項２記載のレーザー墨出し器用支持装置によれば、クランプ部Ａを、簡単に、確実に、且つ安定的に柱や間柱等の被固定物の任意の位置（高さ）に固定できると共に、レーザー墨出し器を、支持部Ｂの受台１３の取付ネジ１６に簡単に、確実に、且つ安定的に装着して支持できるようになる。すなわち、内装作業時に於いて基本となる水平を出したり（地墨）、或いは、天井を組むために水平を出したり（天井墨）する場合でも、レーザー墨出し器を、簡単に、確実に、且つ安定的に支持できるようになる。しかも、構成が簡素で、量産に適し、低廉で、経済的で、取扱い易く、使い勝手の優れたレーザー墨出し器用支持装置となる。
【００１３】
特に、昇降用ハンドル１４の回転操作によって、レーザー墨出し器を自在に昇降できるので、レーザー墨出し器の支持位置を、所定の印等に合せる作業が、熟練を要することなく誰でも簡単に短時間で調節できるようになる。
【００１４】
更に、ロックネジ１５の回転操作でレーザー墨出し器の昇降を停止できるように構成したので、所望位置に設置されたレーザー墨出し器をその状態のまま確実に維持できるようになる。
【考案を実施するための最良の形態】
【００１５】
以下、本考案を図示例に基づいて説明すると、次の通りである。
本考案のレーザー墨出し器用支持装置は、主に、適宜建築工事現場に於いて、内装作業をする時に基本となる水平を出したり（地墨）、或いは、天井を組む時に水平を出したり（天井墨）するのに使用するレーザー墨出し器を支持すると共に、支持したレーザー墨出し器を、例えば、上下方向での支持位置を細かく調節できるようにしたものである。
【００１６】
そして、レーザー墨出し器用支持装置は、例えば、柱や間柱等の被固定物の任意の位置に取外し可能に固定できるよう構成したクランプ部Ａと、このクランプ部Ａの正面がわに取付ベース５を介して固定される支持部Ｂとからなる。
【００１７】
更に、クランプ部Ａは、背面がわが開放されている略平面溝形状のクランプ用フレーム１と、このフレーム１の左右側片の一方に螺着されるネジ棒２と、このネジ棒２の基端に固着される固定用ハンドル３と、ネジ棒２の先端部分に回転自在に装着される当接板４とからなる。
【００１８】
また、支持部Ｂは、取付ベース５に固定される基台１０と、この基台１０の下方に配されるガイド筒１１と、このガイド筒１１内を摺動可能な昇降マスト１２と、この昇降マスト１２の上端部分に固定される受台１３と、基台１０に正逆回転自在に装着されると共に、その回転によって昇降マスト１２を昇降させる昇降用ハンドル１４と、基台１０に螺着されると共に、その回転によって昇降マスト１２を停止可能なロックネジ１５と、受台１３に設けた取付ネジ１６とからなる。
【００１９】
そして、取付ネジ１６を介してレーザー墨出し器を受台１３に装着可能となるよう形成して、昇降用ハンドル１４の回転操作でレーザー墨出し器を自在に昇降できるよう形成し、ロックネジ１５の回転操作でレーザー墨出し器の昇降を停止できるように構成されている。
【実施例】
【００２０】
前記フレーム１は、例えば、適宜金属材（或いは、適宜樹脂材や適宜複合材等で構成しても良い）によって一体的（一体的でなくても良い）に構成され、略矩形板状の基片と、この基片の左右端縁に連設されると共に平行に対峙する略矩形板状の左右側片とによって構成されている。しかも、左右側片の間隔は、例えば、柱や間柱等の幅より大きく設定されている。
【００２１】
前記ネジ棒２は、フレーム１の左右側片の一方に設けた雌ネジ孔に螺着され、このネジ棒２の基端には、手指によって回転操作される固定用ハンドル３が固定され、ネジ棒２の先端部分には、柱や間柱等に当接して圧迫する略円板状の当接板４が回転自在に装着されている。
【００２２】
前記取付ベース５は、例えば、適宜金属材（或いは、適宜樹脂材や適宜複合材等で構成しても良い）によって一体的（一体的でなくても良い）に構成され、しかも、一対の矩形片を略側面Ｌ字状に連設して形成されており、一方の矩形片がフレーム１の基片に固着（例えば、ネジ止）され、他方の矩形片がフレーム１の基片に対して直交するように形成されている。尚、一方の矩形片は、フレーム１の基片に設けた凹部に嵌合されるように形成して、フレーム１と取付ベース５との連結状態を強固にすると共に、取付ベース５をフレーム１に正確に連結できるようにしても良い。
【００２３】
前記基台１０は、例えば、適宜合成樹脂材によって構成され、取付ベース５の他方の矩形板に固定されており、この基台１０の下方に略長尺円筒状の金属製（合成樹脂製でも良い）ガイド筒１１が垂下状に連設されている。
【００２４】
前記昇降マスト１２は、例えば、適宜金属材によって略長尺円筒状に形成されると共に、ガイド筒１１内を摺動するように形成されている。しかも、その一側面は、偏平に形成されると共に、その表面に細かなラック状の歯が形成されている。
【００２５】
前記受台１３は、昇降マスト１２の上端に固定され、レーザー墨出し器を安定的に受けられるように形成されており、この受台１３の上部には、レーザー墨出し器の底部に設けた雌ネジ孔に螺着可能な取付ネジ１６が突設されている。
【００２６】
前記昇降用ハンドル１４は、基台１０に正逆回転自在に装着されており、先端がわのピニオン部分が、昇降マスト１２のラック状の歯に歯合しており、手指による昇降用ハンドル１４の正逆回転によって、昇降マスト１２が細かく且つスムーズに昇降するように構成されている。
【００２７】
前記ロックネジ１５は、基台１０に正逆回転自在に装着されており、手指による回転によって、その先端が昇降マスト１２のラック状の歯を除く外表面に圧止されられ、圧止状態にあっては、昇降マスト１２の昇降を確実に阻止できるように構成されている。
【００２８】
ところで、レーザー墨出し器用支持装置の具体的構成、形状、寸法、材質、クランプ部Ａの具体的構成、形状、寸法、材質、支持部Ｂの具体的構成、形状、寸法、材質、フレーム１の具体的構成、形状、寸法、材質、ネジ棒２の具体的構成、形状、寸法、材質、固定用ハンドル３の具体的構成、形状、寸法、材質、当接板４の具体的構成、形状、寸法、材質、取付ベース５の具体的構成、形状、寸法、材質、数、基台１０の具体的構成、形状、寸法、材質、ガイド筒１１の具体的構成、形状、寸法、材質、昇降マスト１２の具体的構成、形状、寸法、材質、受台１３の具体的構成、形状、寸法、材質、昇降用ハンドル１４の具体的構成、形状、寸法、材質、配設位置、ロックネジ１５の具体的構成、形状、寸法、材質、配設位置、取付ネジ１６の具体的構成、形状、寸法、材質等は図示例のもの等に限定されることなく適宜自由に設定、変更できるものである。
【図面の簡単な説明】
【００２９】
【図１】本考案のレーザー墨出し器用支持装置を例示する斜視図である。
【図２】本考案のレーザー墨出し器用支持装置を例示する正面図である。
【図３】本考案のレーザー墨出し器用支持装置を例示する一部切欠平面図である。
【符号の説明】
【００３０】
Ａ    クランプ部
１    フレーム              ２    ネジ棒
３    固定用ハンドル        ４    当接板
５    取付ベース
Ｂ    支持部
１０  基台                  １１  ガイド筒
１２  昇降マスト            １３  受台
１４  昇降用ハンドル        １５  ロックネジ
１６  取付ネジ
【図１】
0003101610.tif 000003
【図２】
0003101610.tif 000004
【図３】
0003101610.tif 000005